(57)【要約】【課題】本発明は、選局してから表示するまでの時間を一段と短縮化できるようにする。【解決手段】本発明は、メイン映像処理部３と、サブ映像処理部４と、放送局や他の放送局をユーザに選択させるためのリモコンＲＣを介して、メイン映像処理部３により現在出力中の放送局とは異なる他の放送局が選択されたことを認識したとき、現在出力中ではないサブ映像処理部４による選局処理を開始させ、リモコンＲＣを介して他の放送局が最終的に決定されたことを認識したとき、メイン映像処理部３からサブ映像処理部４へ切り換える制御部１０とを設けるようにする。【選択図】図１
2010114747.tif 000002
【特許請求の範囲】
【請求項１】
第１のチューナ及び第１のデコーダからなり、当該第１のチューナにより放送局が選局されたとき、当該第１のデコーダによりデコードされた上記放送局の番組を出力する主処理部と、
第２のチューナ及び第２のデコーダからなり、当該第２のチューナにより他の放送局が選局されたとき、当該第２のデコーダによりデコードされた上記他の放送局の番組を出力する副処理部と、
上記放送局や上記他の放送局をユーザに選択させるための選択部を介して上記主処理部により現在出力中の上記放送局とは異なる上記他の放送局が選択されたことを認識したとき、現在出力中ではない上記副処理部による選局処理を開始させ、上記選択部を介して上記他の放送局が最終的に決定されたことを認識したとき、上記主処理部から上記副処理部へ切り換える制御部と
を具える情報処理装置。
【請求項２】
上記主処理部により出力される番組表画面を表示手段に対して表示する番組表画面処理部と
を具え、
上記制御部は、上記選択部によって、上記番組表画面のうち現在出力中の上記放送局の番組とは異なる上記他の放送局の番組にフォーカスが当てられて選択されたことを認識したとき、現在出力中ではない上記副処理部による選局処理を開始させる
請求項１に記載の情報処理装置。
【請求項３】
第１のチューナ及び第１のデコーダからなる主処理部の当該第１のチューナにより放送局が選局されたとき、当該第１のデコーダによりデコードされた上記放送局の番組を出力するか、或いは第２のチューナ及び第２のデコーダからなる副処理部の当該第２のチューナにより他の放送局が選局されたとき、当該第２のデコーダによりデコードされた上記他の放送局の番組を出力する番組出力ステップと、
上記放送局や上記他の放送局をユーザに選択させるための選択部を介して、現在出力中の上記放送局とは異なる上記他の放送局が選択されたことを認識したとき、現在出力中ではない上記副処理部による選局処理を開始させる選局処理制御ステップと、
上記選択部を介して上記他の放送局が最終的に決定されたことを認識したとき、上記主処理部から上記副処理部へ切り換える切換ステップと
を有する番組切換方法。
【発明の詳細な説明】
【技術分野】
【０００１】
本発明は、情報処理装置及び番組切換方法に関し、例えば地上波ディジタルテレビジョン放送受信可能なテレビジョン受像機に適用して好適なものである。
【背景技術】
【０００２】
従来、地上波ディジタルテレビジョン放送受信可能なテレビジョン受像機（以下、これを地上ディジタルテレビジョン受像機と呼ぶ）においては、アンテナを介して受信した地上ディジタルテレビジョン放送波から選局先の番組データを抽出してデコードすることによりトランスポートストリームを得る。
【０００３】
そして地上ディジタルテレビジョン受像機では、このトランスポートストリームに対してスクランブル解除処理及びフィルタリング処理等を施した後、番組映像、番組音声及び電子番組表に分離し、当該番組映像をＬＣＤ(Liquid Crystal Display)等のディスプレイに表示すると共に、番組音声をスピーカから出力するようになされている。
【０００４】
この地上ディジタルテレビジョン受像機では、電子番組表を番組映像に重ねて表示する際、当該電子番組表の表示を違和感なくシームレスに切り替えることにより、ユーザ所望のＴＶ番組を容易に探索することができるようになされている（例えば、特許文献１参照）。
【特許文献１】特開2006-313948公報
【発明の開示】
【発明が解決しようとする課題】
【０００５】
ところでかかる構成の地上ディジタルテレビジョン受像機においては、リモートコントローラ（以下、これを単にリモコンと呼ぶ）に対するユーザの操作により、現在出力中の放送局のＴＶ番組からユーザが所望する他の放送局のＴＶ番組に切り換える場合、チューナの同調処理や、トランスポートストリームの解析処理が必要であるため、選局動作が終了するまでに多大な時間を要するという問題があった。
【０００６】
また地上ディジタルテレビジョン受像機においては、リモコンのチャンネルアップボタン又はチャンネルダウンボタンに対するユーザの連続的な押下操作に応じて、選局先の放送局を順次切り換える際、次のアクションを予測し、その予測結果に基づいてチューナの同調処理や、トランスポートストリームの解析処理を予め開始する方法も提案されている。
【０００７】
しかしながら、この場合、予測結果が外れた場合、全く効果が期待できず、地上ディジタルテレビジョン受像機では、選局動作に時間を要するという問題が依然残ってしまう。
【０００８】
本発明は以上の点を考慮してなされたもので、選局してから表示するまでの時間を一段と短縮化し得る使い勝手に優れた情報処理装置及び番組切換方法を提案しようとするものである。
【課題を解決するための手段】
【０００９】
かかる課題を解決するため本発明の情報処理装置においては、第１のチューナ及び第１のデコーダからなり、当該第１のチューナにより放送局が選局されたとき、当該第１のデコーダによりデコードされた放送局の番組を出力する主処理部と、第２のチューナ及び第２のデコーダからなり、当該第２のチューナにより他の放送局が選局されたとき、当該第２のデコーダによりデコードされた他の放送局の番組を出力する副処理部と、放送局や他の放送局をユーザに選択させるための選択部と、当該選択部を介して主処理部により現在出力中の放送局とは異なる他の放送局が選択されたことを認識したとき、現在出力中ではない副処理部による選局処理を開始させ、選択部を介して他の放送局が最終的に決定されたことを認識したとき、主処理部から副処理部へ切り換える制御部とを設けるようにする。
【００１０】
これにより、他の放送局が選択されたものの最終的に決定されてはいない段階で、当該他の放送局に対する選局処理を副処理部により開始させることが出来るので、他の放送局が最終的に決定されたときは、主処理部による現在の放送局から、副処理部により既に選局処理が終了しているであろう他の放送局へ出力元を切り換えれば、他の放送局を選局してから番組を表示するまでの時間を大幅に短縮することができる。
【００１１】
また本発明の番組切換方法においては、第１のチューナ及び第１のデコーダからなる主処理部の当該第１のチューナにより放送局が選局されたとき、当該第１のデコーダによりデコードされた放送局の番組を出力するか、或いは第２のチューナ及び第２のデコーダからなる副処理部の当該第２のチューナにより他の放送局が選局されたとき、当該第２のデコーダによりデコードされた他の放送局の番組を出力する番組出力ステップと、放送局や他の放送局をユーザに選択させるための選択部を介して、現在出力中の放送局とは異なる他の放送局が選択されたことを認識したとき、現在出力中ではない副処理部による選局処理を開始させる選局処理制御ステップと、選択部を介して他の放送局が最終的に決定されたことを認識したとき、主処理部から副処理部へ切り換える切換ステップとを有するようにする。
【００１２】
これにより、他の放送局が選択されたものの最終的に決定されてはいない段階で、当該他の放送局に対する選局処理を副処理部により開始させることが出来るので、他の放送局が最終的に決定されたときは、主処理部による現在の放送局から、副処理部により既に選局処理が終了しているであろう他の放送局へ出力元を切り換えれば、他の放送局を選局してから番組を表示するまでの時間を大幅に短縮することができる。
【発明の効果】
【００１３】
本発明によれば、他の放送局が選択されたものの最終的に決定されてはいない段階で、当該他の放送局に対する選局処理を副処理部により開始させることが出来るので、他の放送局が最終的に決定されたときは、主処理部による現在の放送局から、副処理部により既に選局処理が終了しているであろう他の放送局へ出力元を切り換えれば、他の放送局を選局してから番組を表示するまでの時間を大幅に短縮することができ、かくして選局してから表示するまでの時間一段と短縮化し得る使い勝手に優れた情報処理装置及び番組切換方法を実現することができる。
【発明を実施するための最良の形態】
【００１４】
以下、発明を実施するための最良の形態（以下、実施の形態とする）について説明する。なお、説明は以下の順序で行う。
１．第１の実施の形態（番組リスト画面を用いた場合）
２．第２の実施の形態（クロスメディアバーを用いた場合）
３．他の実施の形態
【００１５】
＜１．第１の実施の形態＞
（１）［地上ディジタルテレビジョン受像機の構成］
図１において、１は全体として本発明の一実施の形態における地上ディジタルテレビジョン受像機を示し、ＣＰＵ(Central Processing Unit)構成の制御部１０が全体を統括制御するようになされている。
【００１６】
そして地上ディジタルテレビジョン受像機１の制御部１０は、リモートコントローラ（以下、これをリモコンと呼ぶ。）ＲＣから受光部１３を介して受け取った種々の命令に対応するテレビジョン表示処理等を実行するようになされている。
【００１７】
実際上、地上ディジタルテレビジョン受像機１では、アンテナ２を介して地上ディジタルテレビジョン放送の放送波Ｓ１を受信し、これをメイン映像処理部３の第１ディジタルチューナ部２１へ送出する。
【００１８】
第１ディジタルチューナ部２１は、アンテナ２を介して供給された放送波Ｓ１から所定周波数の変調信号を選局し、その変調信号に対して復調処理や誤り訂正処理等の所定の信号処理を施すことによりトランスポートストリームＴＳ１を復元し、これを第１デスクランブラ２２へ送出する。
【００１９】
第１デスクランブラ２２は、トランスポートストリームＴＳ１に対してスクランブル状態を解除するためのデスクランブル処理を施し、その結果、スクランブル状態が解除された後のトランスポートストリームＴＳ１Ｄを第１デマルチプレクサ２３へ送出する。
【００２０】
第１デマルチプレクサ２３は、トランスポートストリームＴＳ１Ｄに対してヘッダ部に格納されているＰＩＤ(Packet IDentification)の値に基づきフィルタリングを行うことにより、ビデオストリームＶＳ１及びオーディオストリームＡＳ１を分離して取り出し、これらを第１デコーダ２４へ送出する。
【００２１】
また、第１デマルチプレクサ２３は、トランスポートストリームＴＳ１Ｄから番組リスト画面（後述する）を構成するための付加データＥＳ１をも取り出し、これを第１デコーダ２４へ送出する。
【００２２】
第１デコーダ２４は、ビデオストリームＶＳ１、オーディオストリームＡＳ１及び付加データＥＳ１に対してそれぞれ復号処理を施すことによりビデオ信号ＶＤ１、オーディオ信号ＡＤ１及び付加情報ＥＤ１を得る。
【００２３】
そして第１デコーダ２４は、ビデオ信号ＶＤ１については切替スイッチ５を介して映像処理部７へ送出し、オーディオ信号ＡＤ１については切替スイッチ５を介して音声処理部６へ送出し、付加情報ＥＤ１については切替スイッチ５を介してＥＰＧ生成部８へ送出し得るようになされている。
【００２４】
音声処理部６は、第１デコーダ２４から切替スイッチ５を介して供給されたオーディオ信号ＡＤ１に対して所定の音声処理等を施し、その結果得られるオーディオ信号ＡＤＳ１をスピーカ１１へ供給することにより、当該オーディオ信号ＡＤＳ１に対応した音声をスピーカ出力するようになされている。
【００２５】
映像処理部７は、第１デコーダ２４から切替スイッチ５を介して供給されたビデオ信号ＶＤ１に対してノイズ除去処理、解像度変換処理、フレーム補間処理等の所定の画像処理を施し、その結果得られるビデオ信号ＶＤＳ１を合成処理部９へ送出する。
【００２６】
ＥＰＧ生成部８は、第１デコーダ２４から切替スイッチ５を介して供給された付加情報ＥＤ１に基づいてＯＳＤ構成でなる番組リスト画面データＬＧ１を生成し、これを合成処理部９へ送出する。
【００２７】
合成処理部９は、例えばＯＳＤ(On Screen Display)処理によって、映像処理部７から供給されるビデオ信号ＶＤＳ１と、ＥＰＧ生成部８から供給される番組リスト画面データＬＧ１とを合成し、その結果得られる合成信号ＶＺ１をＬＣＤ１２へ出力する。
【００２８】
これにより合成処理部９は、メイン映像処理部３によって選局された放送局の番組映像に番組リスト画面（後述する）を重ねた状態で当該番組映像を当該ＬＣＤ１２に表示するようになされている。
【００２９】
なお地上ディジタルテレビジョン受像機１では、メイン映像処理部３と同じ機能を有するサブ映像処理部４が設けられており、当該サブ映像処理部４は第２デジタルチューナ部３１、第２デスクランブラ３２、第２デマルチプレクサ３３及び第２デコーダ３４によって構成されている。
【００３０】
このサブ映像処理部４の第２デジタルチューナ部３１、第２デスクランブラ３２、第２デマルチプレクサ３３及び第２デコーダ３４についても、メイン映像処理部３の第１デジタルチューナ部２１、第１デスクランブラ２２、第１デマルチプレクサ２３及び第１デコーダ２４と同じ機能を有している。
【００３１】
サブ映像処理部４の第２ディジタルチューナ部３１は、アンテナ２を介して供給された放送波Ｓ１からメイン映像処理部３のときとは異なる周波数の変調信号を選局し、その変調信号に対して復調処理や誤り訂正処理等の所定の信号処理を施すことによりトランスポートストリームＴＳ２を復元し、これを第２デスクランブラ３２へ送出する。
【００３２】
第２デスクランブラ３２は、トランスポートストリームＴＳ２に対してスクランブル状態を解除するためのデスクランブル処理を施し、その結果、スクランブル状態が解除された後のトランスポートストリームＴＳ２Ｄを第２デマルチプレクサ３３へ送出する。
【００３３】
第２デマルチプレクサ３３は、トランスポートストリームＴＳ２Ｄに対してヘッダ部に格納されているＰＩＤの値に基づきフィルタリングを行うことにより、ビデオストリームＶＳ２及びオーディオストリームＡＳ２を分離して取り出し、これらを第２デコーダ３４へ送出する。
【００３４】
また、第２デマルチプレクサ３３は、トランスポートストリームＴＳ２Ｄから番組リスト画面（後述する）を構成するための付加データＥＳ２をも取り出し、これを第２デコーダ３４へ送出する。
【００３５】
第２デコーダ３４は、ビデオストリームＶＳ２、オーディオストリームＡＳ２及び付加データＥＳ２に対してそれぞれ復号処理を施すことによりビデオ信号ＶＤ２、オーディオ信号ＡＤ２及び付加情報ＥＤ２を得る。
【００３６】
そして第２デコーダ３４は、ビデオ信号ＶＤ２については切替スイッチ５を介して映像処理部７へ送出し、オーディオ信号ＡＤ２については切替スイッチ５を介して音声処理部６へ送出し、付加情報ＥＤ２については切替スイッチ５を介してＥＰＧ生成部８へ送出し得るようになされている。
【００３７】
制御部１０は、リモコンＲＣから受光部１３を介してメイン映像処理部３からサブ映像処理部４へ切り替える命令を受け取ると、メイン映像処理部３からのビデオ信号ＶＤ１、オーディオ信号ＡＤ１及び付加情報ＥＤ１ではなく、サブ映像処理部４からのビデオ信号ＶＤ２、オーディオ信号ＡＤ２及び付加情報ＥＤ２を出力するように切り替える。
【００３８】
その結果、音声処理部６は、第２デコーダ３４から切替スイッチ５を介して供給されたオーディオ信号ＡＤ２に対して所定の音声処理等を施し、その結果得られるオーディオ信号ＡＤＳ２をスピーカ１１へ供給することにより、当該オーディオ信号ＡＤＳ２に対応した音声をスピーカ出力するようになされている。
【００３９】
映像処理部７は、第２デコーダ３４から切替スイッチ５を介して供給されたビデオ信号ＶＤ２に対してノイズ除去処理、解像度変換処理、フレーム補間処理等の所定の画像処理を施し、その結果得られるビデオ信号ＶＤＳ２を合成処理部９へ送出する。
【００４０】
ＥＰＧ生成部８は、第２デコーダ３４から切替スイッチ５を介して供給された付加情報ＥＤ２に基づいてＯＳＤ構成でなる番組リスト画面データＬＧ２を生成し、これを合成処理部９へ送出する。
【００４１】
合成処理部９は、例えばＯＳＤ(On Screen Display)処理によって、映像処理部７から供給されるビデオ信号ＶＤＳ２と、ＥＰＧ生成部８から供給される番組リスト画面データＬＧ２とを合成し、その結果得られる合成信号ＶＺ２をＬＣＤ１２へ出力する。
【００４２】
これにより合成処理部９は、サブ映像処理部４によって選局された他の放送局の番組映像に番組リスト画面（後述する）を重ねた状態で当該他の放送局の番組映像を当該ＬＣＤ１２に表示するようになされている。
【００４３】
このように地上ディジタルテレビジョン受像機１では、メイン映像処理部３とサブ映像処理部４とを有しており、制御部１０により切替スイッチ５を介して何れか一方を選択し得るようになされている。
【００４４】
（２）［番組切換表示処理手順］
次に、地上ディジタルテレビジョン受像機１による番組切換表示処理手順について、図２のフローチャートを用いて説明する。
【００４５】
この場合、地上ディジタルテレビジョン受像機１において、メイン映像処理部３によって得られたチャンネル番号「０６１」の番組映像をＬＣＤ１２に表示しているときに、番組リスト画面を介してユーザにより選択されたチャンネル番号「０８１」の番組映像に切り換えて表示するまでの番組切換表示処理について説明する。
【００４６】
地上ディジタルテレビジョン受像機１の制御部１０は、アプリケーションプログラムに従ってルーチンＲＴ１の開始ステップから入って次のステップＳＰ１へ移る。
【００４７】
ステップＳＰ１において制御部１０は、図３に示すような、メイン映像処理部３を介して生成した合成信号ＶＺ１に基づくチャンネル番号「０６１」の番組映像Ｘ１を表示することにより、当該番組映像Ｘ１に重ねられた番組リスト画面ＰＬＧ１をも提示し、次のステップＳＰ２へ移る。
【００４８】
この番組リスト画面ＰＬＧ１では、縦軸に時間軸が設けられ、横軸に放送局軸が設けられた構成を有し、ＴＶ番組単位で番組表示枠Ｗ１〜Ｗ８が形成されている。この例では、他とは異なる例えば赤色で表示されたチャンネル番号「０６１」の放送局「ＡＢＳ１」により放送されているＴＶ番組「まるまるマーケット」を地上ディジタルテレビジョン受像機１が現在選局されていることが示されている。
【００４９】
なお番組リスト画面ＰＬＧ１では、他と異なる赤色で番組表示枠Ｗ１が表示されていることから、当該番組表示枠Ｗ１にフォーカスが当てられていて現在選局中であることをユーザに対して目視確認させ得るようになされている。
【００５０】
ステップＳＰ２において制御部１０は、リモコンＲＣから受光部１３を介して与えられる命令に基づいて現在フォーカスが当てられている番組表示枠Ｗ１から他の番組表示枠Ｗ２〜Ｗ８に選局先が変更されたか否かを判定する。
【００５１】
ここで否定結果が得られると、このことは現在もフォーカスが番組表示枠Ｗ１に当てられたままであって、選局先に変更はないことを表しており、このとき制御部１０はステップＳＰ１以降の処理を繰り返す。
【００５２】
これに対してステップＳＰ２で肯定結果が得られると、このことは現在フォーカスが当てられている番組表示枠Ｗ１から他の番組表示枠Ｗ２〜Ｗ８にフォーカスが移動された結果、選局先の放送局が変更されたことを表しており、このとき制御部１０は次のステップＳＰ３へ移る。
【００５３】
ステップＳＰ３において制御部１０は、例えば図４に示すように、リモコンＲＣを介して番組表示枠Ｗ２に対応したチャンネル番号「０８１」のＴＶ番組「しろダネ！」にフォーカスが当てられた結果、チャンネル番号「０６１」の放送局「ＡＢＳ１」からチャンネル番号「０８１」の放送局「クジテレビ」に変更されたことを認識し、次のステップＳＰ４へ移る。
【００５４】
ステップＳＰ４において制御部１０は、この時点で、サブ映像処理部４を用いてチャンネル番号「０８１」の放送局「クジテレビ」に対する選局処理を開始し、次のステップＳＰ５へ移る。
【００５５】
この場合、制御部１０は、リモコンＲＣを介してフォーカスが当てられている対象が、放送局「ＡＢＳ１」から放送局「クジテレビ」に変更されただけであって、番組表示枠Ｗ２のＴＶ番組「しろダネ！」を最終的に決定したのではないが、この段階で、サブ映像処理部４によりチャンネル番号「０８１」の放送局「クジテレビ」に対する選局処理を開始させるようになされている。
【００５６】
ステップＳＰ５において制御部１０は、リモコンＲＣを介して、現在フォーカスが当てられている番組表示枠Ｗ２に対応した放送局「クジテレビ」のＴＶ番組「しろダネ！」が最終的に視聴対象として決定されたか否かを判定する。
【００５７】
ここで否定結果が得られると、このことは番組表示枠Ｗ２のＴＶ番組「しろダネ！」に対してフォーカスが当てられているものの、まだ最終的に視聴対象として決定された訳ではなく、更にフォーカスが他の番組表示枠Ｗ３〜Ｗ８に移動される可能性があることを表しており、このとき制御部１０はステップＳＰ２以降の処理を繰り返す。
【００５８】
これに対してステップＳＰ５で肯定結果が得られると、このことは番組表示枠Ｗ２のＴＶ番組「しろダネ！」に対してフォーカスが当てられているとき、ユーザによりリモコンＲＣの決定ボタン（図示せず）が押下操作されたことに応じて、当該番組表示枠Ｗ２の放送局「クジテレビ」のＴＶ番組「しろダネ！」が最終的な視聴対象として決定されたことを表しており、このとき制御部１０は次のステップＳＰ６へ移る。
【００５９】
ステップＳＰ６において制御部１０は、現在出力中のメイン映像処理部３から、ステップＳＰ４で既に選局処理を開始しているサブ映像処理部４に切り替え、次のステップＳＰ７へ移って処理を終了する。
【００６０】
このように制御部１０は、最終的に視聴対象としては決定されていないが、番組表示枠Ｗ２に対してフォーカスが当てられた段階で、その放送局「クジテレビ」の選局処理を開始するようにしたことにより、その放送局「クジテレビ」のＴＶ番組「しろダネ！」が最終的な視聴対象として決定されたときから、その番組映像を表示するまでの待ち時間を大幅に短縮し得るようになされている。
【００６１】
（３）［動作及び効果］
以上の構成において、地上ディジタルテレビジョン受像機１では、番組リスト画面ＰＬＧ１の番組表示枠Ｗ１が視聴対象として決定されているとき、すなわちチャンネル番号「０６１」の放送局「ＡＢＳ１」をメイン映像処理部３により選局中に、番組表示枠Ｗ１から番組表示枠Ｗ２へフォーカスが移動されたことを認識すると、制御部１０が以下の処理を開始する。
【００６２】
すなわち地上ディジタルテレビジョン受像機１の制御部１０は、番組表示枠Ｗ２にフォーカスが当てられたとき、それが番組表示枠Ｗ２のＴＶ番組「しろダネ！」に対する最終決定ではないとしても、その段階で番組表示枠Ｗ２に対応したチャンネル番号「０８１」の放送局「クジテレビ」に対する選局処理をサブ映像処理部４によって開始する。
【００６３】
従って地上ディジタルテレビジョン受像機１の制御部１０は、番組表示枠Ｗ２に対してフォーカスが当てられたまま視聴対象として最終的に決定されたことを認識すると、放送局「ＡＢＳ１」によるＴＶ番組「まるまるマーケット」の番組映像を現在出力中のメイン映像処理部３から、既に選局処理を開始しているサブ映像処理部４へ切り替えることができる。
【００６４】
このとき地上ディジタルテレビジョン受像機１の制御部１０は、サブ映像処理部４へ切り替えたときには、既に選局処理が終了しているか、或いは選局処理が終了するくらいまで進んでいるので、ＴＶ番組「まるまるマーケット」の番組映像からＴＶ番組「しろダネ！」の番組映像へ瞬時に切り替えてＬＣＤ１２に表示することができる。
【００６５】
これは、従来のように、メイン映像処理部３だけを有する地上ディジタルテレビジョン受像機であって、番組表示枠Ｗ２に対してフォーカスが当てられ、視聴対象として最終的に決定されてから選局処理を開始する場合と比較して、切り替え後の番組映像に対する表示待ち時間を大幅に短縮化することができる。
【００６６】
以上の構成によれば、地上ディジタルテレビジョン受像機１では、番組リスト画面ＰＬＧ１で選択された番組表示枠Ｗ１の番組映像を表示中、他の番組表示枠Ｗ２が最終的に視聴対象として選択されたときでも、番組表示枠Ｗ２の番組映像を表示するまでの待ち時間を無くし、若しくは極力少なくすることにより、ユーザに対するストレスを低減することができる。
【００６７】
＜２．第２の実施の形態＞
第２の実施の形態においても、第１の実施の形態における地上ディジタルテレビジョン受像機１と同様のハードウェア構成であり、かつ第１の実施の形態におけるルーチンＲＴ１の番組切替表示処理手順と同様の処理内容であるので、ここでは便宜上その説明を省略し、相違点についてのみ説明する。
【００６８】
この第２の実施の形態における地上ディジタルテレビジョン受像機１では、図３及び図４に示したような番組リスト画面ＰＬＧ１を用いる代わりに、図５及び図６に示したような「クロスメディアバー（ソニー株式会社の登録商標）」と呼ばれる形式の番組リスト画面ＰＬＧ２を用いるようになされている。
【００６９】
この番組リスト画面ＰＬＧ２では、横軸に、音楽アイコンＡＣ１、映画アイコンＡＣ２、地上ディジタル放送アイコンＡＣ３、ＢＳ(Broadcasting Satellite)放送アイコンＡＣ４、ＣＳ(Communication Satellite)放送アイコンＡＣ５、外部入力アイコンＡＣ６及びインターネットアイコンＡＣ７が並べられ、縦軸に放送局が並べられた構成を有している。
【００７０】
地上ディジタルテレビジョン受像機１の制御部１０は、リモコンＲＣに対するユーザの操作に応じて番組リスト画面ＰＬＧ２の地上ディジタル放送アイコンＡＣ３が選択された後、放送局「ＡＢＳ１」によるＴＶ番組「まるまるマーケット」が放送されているチャンネル番号「０６１」がフォーカス枠ＦＣによって最終決定された状態（図５）では、メイン映像処理部３を介してＬＣＤ１２にＴＶ番組「まるまるマーケット」の番組映像を表示する。
【００７１】
その後、地上ディジタルテレビジョン受像機１の制御部１０は、チャンネル番号「０６１」がフォーカス枠ＦＣによって最終決定された状態から、リモコンＲＣに対するユーザの操作に応じて、放送局「クジテレビ」によるＴＶ番組「しろダネ！」が放送されているチャンネル番号「０８１」がフォーカス枠ＦＣによって選択されたことを認識すると、以下の処理を行う。
【００７２】
すなわち地上ディジタルテレビジョン受像機１の制御部１０は、フォーカス枠ＦＣによってチャンネル番号「０８１」が選択されたとき、それが放送局「クジテレビ」のＴＶ番組「しろダネ！」に対する最終決定ではないとしても、その段階でフォーカス枠ＦＣに対応したチャンネル番号「０８１」の放送局「クジテレビ」に対する選局処理をサブ映像処理部４によって開始する。
【００７３】
これにより地上ディジタルテレビジョン受像機１の制御部１０は、フォーカス枠ＦＣによりチャンネル番号「０８１」が選択されたまま、その放送局「クジテレビ」が視聴対象として最終的に決定されたことを認識すると、放送局「ＡＢＳ１」によるＴＶ番組「まるまるマーケット」の番組映像を現在出力中のメイン映像処理部３から、既に選局処理を開始しているサブ映像処理部４へ切り替えることができる。
【００７４】
このとき、地上ディジタルテレビジョン受像機１の制御部１０は、サブ映像処理部４へ切り替えたときには、既に選局処理が終了しているか、或いは選局処理が終了するくらいまで進んでいるので、ＴＶ番組「まるまるマーケット」の番組映像からＴＶ番組「しろダネ！」の番組映像へ瞬時に切り替えてＬＣＤ１２に表示することができる。
【００７５】
このように地上ディジタルテレビジョン受像機１の制御部１０は、最終的に視聴対象としては決定されていないが、フォーカス枠ＦＣによってチャンネル番号「０８１」が選択された段階で、その放送局「クジテレビ」の選局処理を開始するようにしたことにより、その放送局「クジテレビ」のＴＶ番組「しろダネ！」が最終的な視聴対象として決定されたときから、その番組映像を表示するまでの待ち時間を大幅に短縮することができる。
【００７６】
＜３．他の実施の形態＞
なお上述の実施の形態においては、地上ディジタルテレビジョン受像機１の制御部１０が、ＴＶ番組の番組映像を出力対象として切り替えるようにした場合について述べたが、本発明はこれに限らず、ラジオ番組の番組音声を出力対象として切り替えるようにしても良い。
【００７７】
また上述の実施の形態においては、地上ディジタルテレビジョン受像機１の制御部１０が、図３及び図４に示したような番組リスト画面ＰＬＧ１、図５及び図６に示したような番組リスト画面ＰＬＧ２を対象として用いるようにした場合について述べた。
【００７８】
しかしながら、本発明はこれに限らず、地上ディジタルテレビジョン受像機１の制御部１０は、立体表示された番組リスト画面や、テキスト表示された番組リスト画面等のその他種々の構成でなる番組リスト画面を対象として用いるようにしても良い。
【００７９】
さらに上述の実施の形態においては、地上ディジタルテレビジョン受像機１の制御部１０が、番組表示枠Ｗ１〜Ｗ８の何れかに対しフォーカスが当てられたことにより選択したり、又はフォーカス枠ＦＣによってチャンネル番号を選択するようにした場合について述べた。
【００８０】
しかしながら、本発明はこれに限らず、地上ディジタルテレビジョン受像機１の制御部１０は、カーソル等の操作子を介して番組表示枠Ｗ１〜Ｗ８の何れか、或いはチャンネル番号を選択することにより放送局を選局するようにしても良い。
【００８１】
さらに上述の実施の形態においては、選択部としてのリモコンＲＣを介して番組表示枠Ｗ１〜Ｗ８の何れか、或いはチャンネル番号を選択するようにした場合について述べた。
【００８２】
しかしながら、本発明はこれに限らず、地上ディジタルテレビジョン受像機１の本体に設けられた操作ボタン等（図示せず）を介して番組表示枠Ｗ１〜Ｗ８の何れか、或いはチャンネル番号を選択するようにしても良い。
【００８３】
さらに上述の実施の形態においては、選択部としてのリモコンＲＣを介して番組表示枠Ｗ１〜Ｗ８の何れか、或いはチャンネル番号を選択した段階で選局処理を開始し、その選局先が視聴対象として最終的に決定されたことを認識すると、現在出力中のメイン映像処理部３から既に選局処理を開始しているサブ映像処理部４へ切り替えるようにした場合について述べた。
【００８４】
しかしながら、本発明はこれに限らず、リモコンＲＣを介して番組表示枠Ｗ１〜Ｗ８の何れか、或いはチャンネル番号を選択した段階で選局処理を開始した後、選局処理が終了したときには、その選局先が視聴対象として最終的に決定されていない場合でも、メイン映像処理部３から既に選局処理が終了しているサブ映像処理部４へ切り替えるようにしても良い。
【００８５】
さらに上述の実施の形態においては、地上ディジタルテレビジョン受像機１の制御部１０が、予めインストールされたアプリケーションプログラムに従ってルーチンＲＴ１の番組切替表示処理手順を実行するようにした場合について述べた。
【００８６】
しかしながら、本発明はこれに限らず、所定の記録媒体からインストールしたアプリケーションプログラムや、インターネットからダウンロードしたアプリケーションプログラム、その他種々のルートによってインストールしたアプリケーションプログラムに従って上述したルーチンＲＴ１の番組切替表示処理手順を実行するようにしても良い。
【００８７】
さらに上述の実施の形態においては、主処理部としてのメイン映像処理部３、副処理部としてのサブ映像処理部４、制御部としての制御部１０によって本発明の情報処理装置としての地上ディジタルテレビジョン放送受像機１を構成するようにした場合について述べた。
【００８８】
しかしながら、本発明はこれに限らず、その他種々の構成でなる主処理部、副処理部及び制御部によって本発明の情報処理装置を構成するようにしても良い。
【産業上の利用可能性】
【００８９】
本発明の情報処理装置及び番組切換方法は、例えば地上波ディジタルテレビジョン放送受信可能なテレビジョン受像機以外にも、地上波ディジタルテレビジョン放送受信可能なチューナ機能が搭載されたパーソナルコンピュータ、カーナビゲーションシステム及び携帯電話機及びＰＤＡ(Personal Digital Assistant)等に適用することができる。
【図面の簡単な説明】
【００９０】
【図１】地上ディジタルテレビジョン放送受像機の構成を示す略線的ブロック図である。
【図２】番組切替表示処理手順を示すフローチャートである。
【図３】番組リスト画面が重ねられた番組映像（１）を示す略線図である。
【図４】番組リスト画面が重ねられた番組映像（２）を示す略線図である。
【図５】他の実施の形態における番組リスト画面が重ねられた番組映像（１）を示す略線図である。
【図６】他の実施の形態における番組リスト画面が重ねられた番組映像（２）を示す略線図である。
【符号の説明】
【００９１】
１……地上ディジタルテレビジョン受像機、２……アンテナ、３……メイン映像処理部、４……サブ映像処理部、５……切替スイッチ、６……音声処理部、７……映像処理部、８……ＥＰＧ生成部、９……合成処理部、１０……制御部、１１……スピーカ、１２……ＬＣＤ、１３……受光部、２１……第１ディジタルチューナ部、２２……第１デスクランブラ、２３……第１デマルチプレクサ、２４……第１デコーダ、３１……第２ディジタルチューナ部、３２……第２デスクランブラ、３３……第２デマルチプレクサ、３４……第２デコーダ。
【図１】
2010114747.tif 000003
【図２】
2010114747.tif 000004
【図３】
2010114747.tif 000005
【図４】
2010114747.tif 000006
【図５】
2010114747.tif 000007
【図６】
2010114747.tif 000008